(57)【要約】【課題】  運転者の特性に応じてより適切な合流時の走行支援を行うことを可能とした走行支援装置を提供する。【解決手段】  加速車線の地形情報、車両状態量、環境情報、運転者の運転特性情報を取得し（ステップＳ１〜Ｓ３）、これらを基にして合流開始位置ＰＳ、到達時刻ｔを予測する（ステップＳ４、Ｓ５）。さらに、位置ＰＳ到達時の車速Ｖ１、自車両と位置ＰＳに同時に到達する本線上の車両の現在位置ＰＢを求め（ステップＳ６、Ｓ７）、その近傍の車両状況を把握し（ステップＳ８）、合流開始位置ＰＳ到達時点で自車両の走行に影響を及ぼす位置にあるか否かを判定し（ステップＳ９）、影響を及ぼしうると判定した場合には適切な警報・操作支援を実施する（ステップＳ１０）。【選択図】  図３
2007133672.tif 000002
【特許請求の範囲】
【請求項１】
第１の道路を走行中の車両が第２の道路へ合流する際の走行支援を行う走行支援装置において、
運転者の運転特性を検出または推定する運転特性検出手段と、
検出または推定した運転特性に基づいて車両の前記第２の道路への合流開始位置を推定する合流開始位置推定手段と、
推定した合流開始位置より手前における自車両と前記第２の道路を走行中の他車両の走行状況に基づいて、推定した合流開始位置に自車両が到達した時点における他車両との位置関係を予測する位置関係予測手段と、
予測した位置関係に基づいて自車両の走行支援を行う走行支援手段と、を備えていることを特徴とする走行支援装置。
【請求項２】
前記運転特性検出手段が検出または推定する運転特性は、運転者の運転習熟度を含み、前記合流開始位置推定手段は、運転者の運転習熟度が高いほど第１の道路の終端位置へ近い位置を合流開始位置と推定することを特徴とする請求項１記載の走行支援装置。
【請求項３】
前記運転特性検出手段が検出または推定する運転特性は、運転者の過去の合流位置特性を含み、前記合流開始位置推定手段は、運転者の過去の合流位置特性を加味して合流開始位置を推定することを特徴とする請求項１記載の走行支援装置。
【請求項４】
前記位置関係予測手段は、検出または推定した運転特性を加味して推定した合流開始位置に自車両が到達した時点における他車両との位置関係を予測することを特徴とする請求項１〜３のいずれかに記載の走行支援装置。
【請求項５】
前記運転特性検出手段が検出または推定する運転特性は、運転者の合流時の加速特性を含むことを特徴とする請求項４記載の走行支援装置。
【請求項６】
前記走行支援手段は、前記位置関係予測手段において自車両に所定の基準以上接近する他車両があると予測した場合に、音声または表示により運転者に警報を発することを特徴とする請求項１〜５のいずれかに記載の走行支援装置。
【発明の詳細な説明】
【技術分野】
【０００１】
本発明は、車両の走行を支援する装置に関し、特に、道路の合流部において本線への合流を支援する走行支援装置に関する。
【背景技術】
【０００２】
高速道路などの自動車専用道路への合流は、運転習熟度の低い初心者やいわゆるペーパードライバにとって苦手な運転操作の一つである。その要因としては、合流先である本線を通行する車両と自車両との速度差が大きいため、自車両より後側方に位置している車両のうち、どの範囲に位置する車両が合流操作に関与する可能性があるか否かを判定して、合流の可否および合流動作の設定を行う必要があり、これが負担となるためと考えられる。
【０００３】
このような合流作業を支援する支援装置として特許文献１に開示されている車両制御装置が知られている。この技術では、合流点における自車両と本線を走行中の他車両との位置関係を合流点より手前の自車両および他車両の走行状態から予測し、他車両に近づきすぎないように車両の走行支援を行うものである。
【特許文献１】特開平８−２６３７９３号公報
【発明の開示】
【発明が解決しようとする課題】
【０００４】
特許文献１の技術においては、合流点は合流する道路の交点に設定されている。しかしながら、高速道路へと合流する加速車線は、本線と並行する区間を有しており、この並行区間のどの位置において自車両を本線内へと進入させて合流するか、つまり、合流点をどこに設定するかは運転者により異なる。また、この合流点へと至るまでの自車両の加速状況も運転者によって異なりうる。支援装置が予測の基礎とした合流点、加速状況が実際と異なると、合流点における自車両と他車両との位置関係も異なってしまい、適切な走行支援が行えなくなってしまう。このような課題については、特許文献１には記載がない。
【０００５】
そこで本発明は、運転者の特性に応じてより適切な合流時の走行支援を行うことを可能とした走行支援装置を提供することを課題とする。
【課題を解決するための手段】
【０００６】
上記課題を解決するため、本発明に係る走行支援装置は、第１の道路を走行中の車両が第２の道路へ合流する際の走行支援を行う走行支援装置において、運転者の運転特性を検出または推定する運転特性検出手段と、検出または推定した運転特性に基づいて車両の第２の道路への合流開始位置を推定する合流開始位置推定手段と、推定した合流開始位置より手前における自車両と第２の道路を走行中の他車両の走行状況に基づいて、推定した合流開始位置に自車両が到達した時点における他車両との位置関係を予測する位置関係予測手段と、予測した位置関係に基づいて自車両の走行支援を行う走行支援手段と、を備えていることを特徴とする。
【０００７】
ここで合流開始位置とは、車両が第２の道路へ進入を開始する位置、具体的には、車両の一部（通常は、第２の道路側の前方端部）が第２の道路の走行レーン内に進入を開始する位置を指すものとする。これは、上述した特許文献１における合流点、合流位置とは異なる概念である。そして、運転者の運転特性とは、現在位置から合流までの走行状況に関与するパラメータであって、運転者の特性（個性）により異なる加速特性や合流位置の設定または、これらを左右するパラメータである。
【０００８】
本発明によれば、こうした運転特性を検出または推定して、合流開始位置を推定し、走行状況に応じて合流開始位置に自車両が到達した時点における他車両との位置関係を予測している。つまり、運転特性に応じて変化する合流開始位置を予測し、合流開始までの走行支援をより適切に行うことが可能となる。
【０００９】
習熟している運転者ほど第１の道路全体を加速区間・合流準備区間として有効に活用している。つまり、第１の道路の終端位置へ近い側で合流を開始する傾向がある。そこで、この運転特性検出手段が検出または推定する運転特性は、運転者の運転習熟度を含み、合流開始位置推定手段は、運転者の運転習熟度が高いほど第１の道路の終端位置へ近い位置を合流開始位置と推定するとよい。この運転習熟度は、車両に設定された入力装置等から入力する手法や、ＥＴＣ（Electronic Toll Collection）システムのＥＴＣカードや運転者個別のキーに運転習熟度情報を記録しておき、これを読み出すことにより、行うようにすればよい。
【００１０】
あるいは、運転特性検出手段が検出または推定する運転特性は、運転者の過去の合流位置特性を含み、合流開始位置推定手段は、運転者の過去の合流位置特性を加味して合流開始位置を推定してもよい。つまり、過去の合流開始位置を学習し、学習結果に応じて合流開始位置の推定を行う。
【００１１】
位置関係予測手段は、検出または推定した運転特性を加味して推定した合流開始位置に自車両が到達した時点における他車両との位置関係を予測するとよい。運転特性に応じて合流開始位置に至るまでの時間や、合流開始位置における車速を推定し、合流開始位置における他車両との位置関係の予測を行う。
【００１２】
運転特性検出手段が検出または推定する運転特性は、運転者の合流時の加速特性を含むとよい。ここでいう加速特性は、加速区間における時間または距離に対する加速度変化の特性ないし傾向を指す。この加速特性を基にして、合流開始位置に達するまでの時間、合流開始位置における車速を推定する。
【００１３】
走行支援手段は、位置関係予測手段において自車両に所定の基準以上接近する他車両があると予測した場合に、音声または表示により運転者に警報を発するとよい。この警報には、単に接近する他車両がある旨を報知する場合に限らず、加速・減速等の接近回避のための指示を行う場合も含まれる。
【発明の効果】
【００１４】
本発明によれば、運転者の運転特性に応じて合流開始位置を推定し、そこへ到達した時点における他車両との位置関係を予測するので、より現実に則した形での位置関係予測が可能となり、適切な合流支援を行うことができる。特に、運転者の習熟度や過去の合流開始位置、加速特性といった運転特性を基に合流開始位置や到達時点における他車両との位置関係を予測することで、より精度の高い位置関係予測を行うことができる。
【００１５】
位置関係予測結果に応じて音声または表示により運転者に警報を発することにより、事前に他車両との必要以上の接近を予防することができ、安全性の確保とドライバビリティーの向上を図ることができる。
【発明を実施するための最良の形態】
【００１６】
以下、添付図面を参照して本発明の好適な実施の形態について詳細に説明する。説明の理解を容易にするため、各図面において同一の構成要素に対しては可能な限り同一の参照番号を附し、重複する説明は省略する。
【００１７】
図１は、本発明にかかる走行支援装置（運転支援装置）１００のブロック構成図である。この走行支援装置１００は、特に、合流操作を支援するものであり、制御部である運転支援ＥＣＵ５０と後側方安全判定ＥＣＵ４を中心に構成される。これらのＥＣＵおよび後述する各ＥＣＵはＣＰＵ、ＲＯＭ、ＲＡＭ等によって構成されており、各ＥＣＵは、直接または車内ＬＡＮを介して相互に通信可能に接続されている。なお、各ＥＣＵは、ハードウェア的に完全に区分されていてもよいが、一部または全部のＥＣＵがそのハードウェアの一部または全部を共有していてもよい。この場合には、各ＥＣＵの機能はソフトウェア的に区分されているが、一部のプログラムを共有する構成であってもよい。
【００１８】
後側方安全判定ＥＣＵ４は、上述した合流開始位置を予測する合流開始位置予測部４０と、予測した合流開始位置到達時点での他車両との位置関係を予測する位置関係予測部４１を備えており、車速等の車両情報を認識する車両情報認識ＥＣＵ１０と、車両の周囲の状況、つまり、道路や他車両の状態を認識する環境情報認識ＥＣＵ２０と、運転者の運転特性を認識する運転者情報認識ＥＣＵ３０の各出力が入力されており、運転支援ＥＣＵ５０に判定結果を通知する。
【００１９】
車両情報認識ＥＣＵ１０には、ステアリングシャフト等に設置され、運転者の操舵角を検出する舵角センサ１１、アクセルペダルに配置され、運転者の操作したアクセル開度を検出するアクセル開度センサ１２、自車両の車速を検出する車速センサ１３（車輪の回転量を測定する車輪速センサを用いてもよい。）、方向指示器（ウィンカー）の操作状態を検出するウィンカー操作センサ１４の各出力が入力されている。
【００２０】
環境情報認識ＥＣＵ２０には、後側方を走行中の車両の位置・速度を検出する後側方車両認識センサ２１、路車間通信・車々間通信を行う車載通信装置２２、車両の現在位置を判定するナビゲーションシステム２３の各出力が入力されている。ここで、後側方車両認識センサ２１としては、電波レーダやソナー等のアクティブタイプの検出装置のほか、車両の後側方を撮像するカメラと取得した画像を画像処理する画像処理装置を組み合わせた画像認識装置を採用してもよい。また、レーダ・ソナーと画像認識装置を組み合わせてもよい。ナビゲーションシステム２３としては、慣性航法装置やＧＰＳを利用したナビゲーション装置を用いることができ、両者を組み合わせてもよい。さらに、道路情報を含む地図情報を電磁気的な記憶手段に格納し、位置情報から参照可能としたナビゲーション装置であるとさらに好ましい。また、車載通信装置２２と情報交換可能であってもよい。
【００２１】
運転者情報認識ＥＣＵ３０には、運転者の運転特性の一つである運転習熟度を判定する熟練度判定装置３１と、運転特性についての学習結果を記憶させる記憶装置３２の各出力が入力される。ここで、熟練度判定装置３１としては、キーボードやタッチパネル、スイッチ等により習熟度を運転者が入力する装置のほか、予め磁気カードやＩＣカード等に習熟度情報を記録しておき、これをカードリーダにより読み出す方式としてもよい。この場合の磁気カードやＩＣカードは、運転免許証や、カード型の車両キー、ＥＴＣカードと兼用したカードであってもよい。また、過去の合流動作を含む運転操作の特性から習熟度を判定するようにしてもよい。この場合には判定結果を記憶装置３２に記憶しておくとよい。記憶装置３２は、不揮発性のＲＡＭやフラッシュメモリ、ハードディスク等で構成されており、運転特性の学習結果等を記憶しておくものである。
【００２２】
運転支援ＥＣＵ５０には、スピーカー５１、ディスプレイ５２、エンジンＥＣＵ５３、ブレーキＥＣＵ５４、操舵ＥＣＵ５５が接続される。スピーカー５１は音声により、ディスプレイ５２は視覚情報によりそれぞれ運転者に警報を発したり、適切な操作の指示を促すものである。これらは、車載のＡＶ装置と共用であってもよい。エンジンＥＣＵ５３、ブレーキＥＣＵ５４、操舵ＥＣＵ５５は、それぞれ運転支援ＥＣＵ５０の指示により駆動系、制動系、操舵系を制御することで、所望の運転支援制御を実行する。
【００２３】
本発明による走行支援動作を説明する前に、合流操作時の車両同士の位置関係が運転者の習熟度による変化を図２を参照して説明する。図２（ａ）は、熟練運転者による合流時の車両の位置関係を示しており、図２（ｂ）は、初心者など合流操作を苦手としている運転者の場合の合流時の車両の位置関係を示している。ここでは、高速道路等の自動車専用道路において、自車両６が加速車線Ｌａ上を走行し、本線Ｌｍに進入する場合を例にとる。以下、道路延長方向に対する加速車線Ｌａの入口位置をＰＥで、自車両６の少なくとも一部が本線Ｌｍのレーン内に進入を開始する位置を合流開始点ＰＳで表すものとする。
【００２４】
本線Ｌｍを走る車両７は一定車速Ｖ２（ここでは、９０ｋｍ／ｈ）で走行しているものとする。加速車線Ｌａを走行する自車両６は加速しながら合流開始点ＰＳに達するが、この際の加速度を一定加速度ａとし、加速車線入口ＰＥにおける初期車速をＶ０、到達までの時間をｔ、到達時の車速をＶ１、合流開始点ＰＳと加速車線入口ＰＥとの距離をΔＬａ、とすると、以下の関係が成立する。
【数１】
2007133672.tif 000003
一方、自車両６が合流開始点ＰＳに到達した時点（符号６Ｓで示す位置）に到達した際に、本線Ｌｍ上の合流開始点ＰＳに到達する他車両７Ｓのｔ秒前の位置をＰＢ、ＰＥとＰＢとの距離をΔＬＢとすると、以下の関係が成立する。
【数２】
2007133672.tif 000004
【００２５】
図２（ａ）に示されるように、熟練運転者の場合には、加速車線Ｌａをいっぱいに使って本線Ｌｍを走行している車両７に近い速度（例ではＶ１＝８３ｋｍ／ｈ）まで加速して合流する。このため、ΔＬａが１７０ｍと長く、ΔＬＢは３０ｍと比較的短く、加速車線入口ＰＥにおいて、注意すべき本線上の範囲は短い。
【００２６】
これに対して、図２（ｂ）に示されるように、未熟運転者の場合には、合流失敗を恐れて加速車線Ｌａの先まで使うのをためらってしまい、加速車線Ｌａを有効に加速区間として利用することができない。つまり、ΔＬａが短くなる（例では、１３０ｍ）。また、この区間における加速度も熟練運転者の半分以下にとどまる。このため、合流開始点ＰＳにおいても本線Ｌｍを走行する車両７に比べて車速Ｖ１が低く（例では６４ｋｍ／ｈ）、ΔＬＢは６０ｍと長くなる。この結果、加速車線入口ＰＥにおいて、注意すべき本線Ｌｍ上の範囲も長くなってしまう。
【００２７】
このような未熟運転者に対して熟練運転者と同様の合流操作を期待して支援を行うと、加速車線入口ＰＥにおいて必要な注意領域を狭く設定してしまい、合流開始点ＰＳに至るまでに本線上の車両との距離が必要以上に接近してしまう可能性がある。これは、支援装置に対する信頼性を低下させてしまうおそれがある。逆に、注意領域を広く設定すると、このような車両接近のおそれは低下するが、注意領域が過剰に広くなってしまう可能性があり、これも支援装置に対する信頼性を低下させてしまうおそれがある。
【００２８】
本発明の走行支援装置はこうした注意領域の過不足を抑制する効果を奏するものである。以下、その動作について具体的に説明する。図３は、その支援動作の一例を示すフローチャートであり、図４はこの制御時における車両の位置関係を示す図である。この処理は、後側方安全判定ＥＣＵ４を中心として、各ＥＣＵ１０、２０、３０、５０と協同して合流支援条件が成立した際に実行されるものである。
【００２９】
合流支援条件としては、図示していないスイッチにより運転者が支援実行を選択しており、かつ、ナビゲーションシステム２３や車載通信装置２２で取得した情報、ウィンカー操作センサ１４の出力等から自車両の針路が本線に合流する針路であると判定した場合に条件を満たすと判定すればよい。
【００３０】
最初に、環境情報認識ＥＣＵ２０から加速車線Ｌａの地形情報を取得する（ステップＳ１）。例えば、ナビゲーションシステム２３内の記憶装置に格納されている地図情報を読み出したり、加速車線Ｌａの近傍に配置された路側通信機から車載通信装置２２により情報を受信することで、加速車線Ｌａの加速車線入口ＰＥから終端ＰＸまでの距離Ｌ１を取得する。
【００３１】
また、車両情報認識ＥＣＵ１０から、加速車線入口ＰＥにおける車両状態量を取得する（ステップＳ２）。車両状態量としては、車速センサ１３から取得した車速Ｖ０、これを時間微分することで得られる加速度ａを取得する。
【００３２】
運転者情報認識ＥＣＵ３０からは、運転者の運転特性情報を取得する（ステップＳ３）。運転特性としては熟練度判定装置３１により判定した合流操作の熟練度に関する情報が挙げられる。
【００３３】
なお、ステップＳ１〜Ｓ３の処理は、順序を異ならせてもよく、いくつかの処理を並列的に実行してもよい。特に、車両情報認識ＥＣＵ１０、環境情報認識ＥＣＵ２０、運転者情報認識ＥＣＵ３０における処理は、個別に並列して処理を行い、処理結果を後側方安全判定ＥＣＵ４へと同時にまたは順次、転送するとよい。
【００３４】
ステップＳ４では、合流開始位置予測部４０により、合流開始位置ＰＳを予測する。具体的には、加速車線入口ＰＥから合流開始位置ＰＳまでの加速区間の距離ΔＬａを、ΔＬａ＝α×Ｌ１（ただし、０＜α＜１）という式により予測する。ここでαは判定した熟練度に応じて設定されるものであり、熟練度が高い運転者ほど加速車線Ｌａを有効に使うことから、αを大きく（１に近づける）設定し、熟練度の低い運転者ではαは小さく（０に近づける）設定される。
【００３５】
次に位置関係予測部４１は、こうして設定した加速区間の距離ΔＬａ、初期車速Ｖ０、加速度ａを基にして合流開始位置ＰＳ到達までの時間ｔを推定する（ステップＳ５）。例えば、加速度ａを一定と仮定し、（２）式を変形した次式（４）により到達までの時間ｔを求めるとよい。
【数３】
2007133672.tif 000005
ここでは、加速度ａを一定として求めたが、加速度ａの変化状況を予測して推定を行ってもよい。例えば、アクセル開度センサ１２の出力変化から運転者の加速状態に対する意図（例えば、加速度をさらに強めようとしているのか現在の加速度を維持しようとしているのか）を推定し、推定した加速度変化を考慮して到達時間を予測してもよい。
【００３６】
位置関係予測部４１は、推定した到達時間を基にして、自車両６の到達時の車速Ｖ１を推定し（ステップＳ６）、さらに、本線Ｌｍを走行する車両は一定車速Ｖ２で走行しているものと仮定して、自車両６と同時に合流開始位置ＰＳに到達すると予想される他車両７が、自車両６が加速車線入口に位置している時点（車両６Ｅで示す。）で位置している本線Ｌｍ上の位置ＰＢ（車両７Ｅで示す。）を算出する。具体的には、上述した式（３）に基づいてΔＬＢを求める（ステップＳ７）。
【００３７】
次に、ＰＢ位置周辺の現在の他車両の状況を把握する（ステップＳ８）。そして、本線Ｌｍ上で、最もＰＢ近傍に存在している車両７（最近接車両）のＰＢからの距離ＬＣを求める。ここで、ＬＣとしては正の場合に、合流開始点ＰＳ到達位置付近において他車両７Ｓが自車両６Ｓより後方に位置していることを意味し、負の場合には、他車両７Ｓが自車両６Ｓより前方に位置していることを意味するものとする。
【００３８】
なお、所定距離ＬＲ以内に他車両が存在しない場合には、ＬＣ＝ＬＲと設定すればよい。これは、距離のある車両については後側方車両認識センサ２１のレンジ外となる可能性があるほか、自車両の走行に影響を与えるおそれがなく、その位置関係を把握する必要がないからであり、この場合のＬＲ値としては、例えばΔＬＢを設定すればよい。
【００３９】
そして、求めたＬＣの絶対値がしきい値Ｌｔｈ以内であるか否かを評価する（ステップＳ９）。このしきい値Ｌｔｈは、ＬＲより十分に小さく、その距離が合流開始位置ＰＳ到達時点での位置関係として適切な関係にないと判定するためのしきい値である。したがって、Ｌｔｈは、一律に決まる定数ではなく、自車両と他車両との合流開始位置ＰＳ到達時点での相対速度に応じて決まる値として設定するとよい。これは、距離が同じであっても接近しつつある場合と、離れつつある場合では接近回避のための余裕時間も異なり、運転者が感じる危険感も異なるからである。なお、正の場合と負の場合とで絶対値の異なるしきい値を用いてもよい。
【００４０】
ＬＣの絶対値がしきい値Ｌｔｈ以内であると判定した場合には、ステップＳ１０へと移行し、運転支援ＥＣＵ５０は、スピーカー５１、ディスプレイ５２を通じて運転者に合流開始時に他車両７と接近しすぎる旨を警報する。さらに、合流開始位置や加速区間の加速状態の変更によって他車両との距離を保つことが可能であれば、エンジンＥＣＵ５３、ブレーキＥＣＵ５４、操舵ＥＣＵ５５に指示して車速を調整したり、進入時点を変更することで衝突回避制御を行うとよい。直接、これらを制御しなくてもスピーカー５１、ディスプレイ５２を通じて運転者に適切な操作を促す指示を行ってもよい。
【００４１】
ステップＳ９で、ＬＣの絶対値がしきい値Ｌｔｈを超えていると判定した場合には、ステップＳ１１へと移行する。この場合は、他車両７と十分な距離を確保できると判定したことになるが、予測と実際とが大幅に乖離するのを防ぐため、運転支援ＥＣＵ５０は、スピーカー５１、ディスプレイ５２を通じて運転者に予測した合流開始位置や車速を基にして適切な操作を促す指示（そのままの加速を保つよう指示したり、適切な合流開始位置を指示する）を行ってもよい。
【００４２】
加速車線入口を通過後も加速車線入口に代えて現在位置を用い、同様の処理を繰り返すことで、適切な合流支援を行うことができる。特に、加速車線入口における加速状態を維持した走行では、合流開始位置で他車両と接近しすぎると判定し、操作支援を行っているときには、同様の処理により支援値を適切に制御する必要がある。
【００４３】
本発明によれば、運転者の熟練度に応じて適切な合流開始位置ＰＥを予測し、位置ＰＥにおける他車両との位置関係を予測することができるため、位置関係の予測精度が向上し、合流支援の支援精度も向上する。したがって、注意範囲の過不足を減らすことができ、支援動作に対する信頼性も向上する。これにより、合流操作時の運転者の負担が軽減し、安全性も向上する。
【００４４】
ステップＳ３において判定する運転特性として、上述の例では、運転熟練度を挙げたが、合流操作時の実際の運転特性を学習してこれを用いてもよい。図５は、この運転特性の学習動作を示す処理フローである。この学習動作は非支援時を含む合流操作時に行われる。
【００４５】
ステップＳ２１では、合流操作時に検出した運転特性値を読み込む。この運転特性値としては、加速車線における平均加速度ａave、上述した加速区間ΔＬａの加速車線Ｌａの全長Ｌ１に対する比率αが挙げられる。ステップＳ２２では、これらの値を運転者を識別する運転者固有のＩＤ情報に関連づけて記憶装置３２内の運転特性値データベースに格納する。次に、格納されている運転特性値データベースから当該運転者の運転特性を読み出して統計処理することで、合流支援時に使用する運転特性値を設定し（ステップＳ２３）、記憶装置３２内のデータベースに格納する（ステップＳ２４）。
【００４６】
この統計処理としては、平均値を用いる手法のほか、最頻値を用いる手法、中央値を用いる手法がある。これらの代表値を求める際に、最大値や最小値側の所定の数のデータを統計処理から除外するようにしてもよい。また、時期的に古いデータについては統計処理から除外してもよいし、傾向を判定する処理を加えることで、次回の運転特性値を予測するようにしてもよい。
【００４７】
合流支援時には、このようにして設定した運転特性値を読み込んで合流支援処理を行うことにより、運転者の運転特性に応じた精度の高い合流開始位置の推定を行うことができ、より精度の高い合流支援を実現できる。特に個々の運転者の特性に応じたきめ細かい制御が可能となるので、支援システムに対する信頼性が向上し、合流運転時の負担を軽減し、安全性も向上する。
【図面の簡単な説明】
【００４８】
【図１】本発明にかかる走行支援装置のブロック構成図である。
【図２】運転者の熟練度の違いによる合流時の車両の位置関係の違いを説明する位置関係図である。
【図３】図１の装置による走行支援動作の一例を示すフローチャートである。
【図４】図３の制御における車両の位置関係図である。
【図５】図１の装置による運転特性の学習動作を説明するフローチャートである。
【符号の説明】
【００４９】
４…後側方安全判定ＥＣＵ、６…自車両、７…他車両、１０…車両情報認識ＥＣＵ、１１…舵角センサ、１２…アクセル開度センサ、１３…車速センサ、１４…ウィンカー操作センサ、２０…環境情報認識ＥＣＵ、２１…後側方車両認識センサ、２２…車載通信装置、２３…ナビゲーションシステム、３０…運転者情報認識ＥＣＵ、３１…熟練度判定装置、３２…記憶装置、４０…合流開始位置予測部、４１…位置関係予測部、５０…運転支援ＥＣＵ、５１…スピーカー、５２…ディスプレイ、５３…エンジンＥＣＵ、５４…ブレーキＥＣＵ、５５…操舵ＥＣＵ、１００…走行支援装置。
【図１】
2007133672.tif 000006
【図２】
2007133672.tif 000007
【図３】
2007133672.tif 000008
【図４】
2007133672.tif 000009
【図５】
2007133672.tif 000010